(57)【要約】      （修正有）【課題】投影機能を備えたモバイルバッテリーを提供する。【解決手段】制御回路基板１と電源接続エレメント２と充電電池ユニット３とミニプロジェクター４と信号送信エレメント５などとを含む。制御回路基板１は充放電回路を有する。電源接続エレメント２と充電電池ユニット３が制御回路基板１の充放電回路に接続され、電源の入力、或いは、電源の出力を行わせることができる。ミニプロジェクターレンズ４は、マイクロ投影モジュール４１とミニ投影レンズ４２とを含む。信号送信エレメント５は、制御回路基板１と接続してメッセージを送信するために用いられる。これにより、その他のポータブル電子機器に接続して充電させることができ、またその他のポータブル電子機器の信号をミニプロジェクターに伝送できるため、映像投影の機能を実現できる。【選択図】図１
0003185387.tif 000002
【実用新案登録請求の範囲】
【請求項１】
充放電回路を有する制御回路基板と、
前記制御回路基板の充放電回路に電気的に接続され、入力電源を前記充放電回路に入力させると共に出力電源を出力させる電源接続エレメントと、
前記制御回路基板の充放電回路に電気的に接続され、前記入力電源の蓄積、或いは、前記出力電源の放出を行う少なくとも１個の充電電池を含む充電電池ユニットと、
前記制御回路基板に実装されるマイクロ投影モジュールと前記マイクロ投影モジュールに結合されるミニ投影レンズとを含むミニプロジェクターと、
前記制御回路基板と接続してメッセージを送信する信号送信エレメントと、
を含むことを特徴とする投影機能を備えたモバイルバッテリー。
【請求項２】
筐体を更に含み、前記制御回路基板と前記充電電池ユニットと前記ミニプロジェクターのマイクロ投影モジュールとが前記筐体内に設置され、前記電源接続エレメントと前記ミニプロジェクターのミニ投影レンズが前記筐体から露出できることを特徴とする請求項１に記載の投影機能を備えたモバイルバッテリー。
【請求項３】
前記入力電源、及び、前記出力電源の電圧は３．５〜２１ボルト（Ｖ）で、電流が０．７〜１１アンペア（Ａ）であることを特徴とする請求項１に記載の投影機能を備えたモバイルバッテリー。
【請求項４】
前記電源接続エレメントは、前記制御回路基板に結合されるコネクタであることを特徴とする請求項１に記載の投影機能を備えたモバイルバッテリー。
【請求項５】
前記コネクタは、ポータブル電子機器に適用されるコネクタであることを特徴とする請求項４に記載の投影機能を備えたモバイルバッテリー。
【請求項６】
前記電源接続エレメントは、前記制御回路基板に接続される電源線であることを特徴とする請求項１に記載の投影機能を備えたモバイルバッテリー。
【請求項７】
前記信号送信エレメントは、前記電源接続エレメントに接続される信号線であることを特徴とする請求項１に記載の投影機能を備えたモバイルバッテリー。
【請求項８】
前記信号線は、電源線を統合したものとすることができることを特徴とする請求項７に記載の投影機能を備えたモバイルバッテリー。
【請求項９】
前記信号送信エレメントは、前記制御回路基板に接続される無線送信モジュールであることを特徴とする請求項１に記載の投影機能を備えたモバイルバッテリー。
【請求項１０】
前記充電電池は、リチウム電池、リチウム鉄電池、リチウムマンガン電池、アルカリ電池、及び、水素酸素電池の中から選ばれるいずれか一つであることを特徴とする請求項１に記載の投影機能を備えたモバイルバッテリー。
【考案の詳細な説明】
【技術分野】
【０００１】
本考案は、モバイルバッテリーに関し、特に、容易に携帯できる構造として組み立て、他のポータブル電子機器の緊急バックアップ電源とすることができ、その他のポータブル電子機器に接続して映像を投影するために用いることもできる投影機を備えたモバイルバッテリーに関する。
【背景技術】
【０００２】
現在電子、ネットワーク及び通信テクノロジーの日進月歩の発展により、スマートフォン（Ｓｍａｒｔｐｈｏｎｅ）、タブレット型コンピュータ（Ｔａｂｌｅｔ  ｃｏｍｐｕｔｅｒ）、デジタルオーディオプレーヤー（ＭＰ３、ＭＰ４）、携帯情報端末（ＰＤＡ）、デジタルカメラ（Ｄｉｇｉｔａｌ  ｃａｍｅｒａｓ）等の様々な民生用電子機器が非常に普及し、人々が出かける時も通常同時に複数のポータブル電子機器を携帯し、その益々強力な機能を利用することで、いつでもどこでも例えばインターネット接続、動画鑑賞、音楽、撮影及びゲーム等のように人々の情報生活を満たしている。
【０００３】
しかしながら、これらポータブル電子機器の共通特性は充電式二次電池（Ｓｅｃｏｎｄａｒｙ  ｂａｔｔｅｒｙ）を使用することである。この種の二次電池を使用した電子機器は、出掛けた時電池エネルギーを使い切ってしまうという問題が常に発生し、且つ該電子機器の設計の制限を受け、自由に高容量の二次電池に交換できないため、頻繁に充電が必要となる不便に陥っている。
【０００４】
よって、市場のあるモバイルバッテリー（Ｐｏｗｅｒ  Ｂａｎｋ）の設計では、上記民生用電子機器のバッテリーエネルギー不足の問題を解決するため、高容量設計により消費者がモバイルバッテリーに事前充電して出掛けた時、上記民生用電子機器に充電させるよう提供している。
【０００５】
しかし、従来のモバイルバッテリーは単純な充電及び放電という作用だけであり、消費者に有利な他の機能を更に提供できないため、現在消費者ニーズを満たすことが難しくなった。且つ、現在の民生用電子機器の機能が強ければ強いほど、一般的に動画と写真を再生する機能を持ち、モバイルバッテリーが時代に即して積極的に発展変化しない場合、モバイルバッテリー産業のテクノロジーが発展向上できない。
【０００６】
よって、民生用電子機器に充電できる以外に、更に民生用電子機器が一般的に持つ動画と写真の再生機能に対応させて人々がモバイルバッテリーで拡大した動画或いは写真を再生させることができるモバイルバッテリーを如何にして考案するかは、本考案が積極的に開示しようとするところである。
【考案の概要】
【考案が解決しようとする課題】
【０００７】
そこで、上記のような従来技術の欠陥に鑑みて、考案者が鋭意研究を重ねたところ、当該産業に従事する長年に渡って蓄積した経験により、投影機能を備えたモバイルバッテリーを開発することで充放電及び投影できる目的を達成する。
【０００８】
本考案は、制御回路基板、電源接続エレメント、充電電池ユニット、ミニプロジェクター及び信号送信エレメントの設計を介して投影機能を備えたモバイルバッテリーを構成し、従ってモバイルバッテリーとして充放電を行うと共にその他のポータブル電子機器に接続して投影再生を行うことができる機能を実現する投影機能を備えたモバイルバッテリーを提供することを目的とする。
【課題を解決するための手段】
【０００９】
上記目的を達成するため、本考案に係る投影機能を備えたモバイルバッテリーの好ましい実施形態には、充放電回路を有する制御回路基板と、該制御回路基板の充放電回路に電気的に接続され、入力電源を該充放電回路に入力させると共に出力電源を出力させる電源接続エレメントと、前記制御回路基板の充放電回路に電気的に接続され、前記入力電源の蓄積或いは前記出力電源の放出を行う少なくとも１個の充電電池を含む充電電池ユニットと、該制御回路基板に実装されるマイクロ投影モジュールと該マイクロ投影モジュールに結合されるミニ投影レンズとを含むミニプロジェクターと、該制御回路基板と接続してメッセージを送信する信号送信エレメントと、を含む。
【００１０】
上記好ましい実施形態に記載の投影機能を備えたモバイルバッテリーによれば、筐体を更に含み、該制御回路基板と該充電電池ユニットと該ミニプロジェクターのマイクロ投影モジュールとが該筐体内に設置され、該電源接続エレメントと該ミニプロジェクターのミニ投影レンズが該筐体から露出する。
【００１１】
上記好ましい実施形態に記載の投影機能を備えたモバイルバッテリーによれば、該入力電源及び該出力電源の電圧は３．５〜２１ボルト（Ｖ）で、電流が０．７〜１１アンペア（Ａ）である。
【００１２】
上記好ましい実施形態に記載の投影機能を備えたモバイルバッテリーにおいて、該電源接続エレメントは、該制御回路基板に結合されるコネクタである。
【００１３】
上記好ましい実施形態に記載の投影機能を備えたモバイルバッテリーにおいて、該コネクタは、ＵＳＢコネクタである。
【００１４】
上記好ましい実施形態に記載の投影機能を備えたモバイルバッテリーにおいて、該電源接続エレメントは、該制御回路基板に接続される電源線である。
【００１５】
上記好ましい実施形態に記載の投影機能を備えたモバイルバッテリーにおいて、該信号送信エレメントは、該電源接続エレメントに接続される信号線で、該信号線が電源線を統合したものである。
【００１６】
上記好ましい実施形態に記載の投影機能を備えたモバイルバッテリーにおいて、該信号送信エレメントは、該制御回路基板に接続される送信モジュールである。
【００１７】
上記好ましい実施形態に記載の投影機能を備えたモバイルバッテリーにおいて、該充電電池は、リチウム電池、リチウム鉄電池、リチウムマンガン電池、アルカリ電池及び水素酸素電池の中から選ばれるいずれか一つである。
【図面の簡単な説明】
【００１８】
【図１】本考案に係る好ましい実施例の立体透視図である。
【図２】本考案に係る好ましい実施例の装置配置を示す図である。
【図３】本考案に係る好ましい実施例の使用状態参考図である。
【考案を実施するための形態】
【００１９】
以下、本考案の目的、特徴及び効果を更に明確に分かりやすくするため、具体的実施例を添付図面に基づいて説明する。
【００２０】
図１及び図２を参照しながら説明する。本考案に係る投影機能を備えたモバイルバッテリーの好ましい実施例は、制御回路基板１と電源接続エレメント２と充電電池ユニット３とミニプロジェクター４と信号送信エレメント５とを含み、これらを筐体６内に実装して組み立てる。
【００２１】
該制御回路基板１は、本考案のモバイルバッテリーのマザーボードで、主に電源接続エレメント２と充電電池ユニット３とミニプロジェクター４に接続するために用いられる充放電回路と必要なコントローラと電子素子とを備える。
【００２２】
該電源接続エレメント２は、制御回路基板１の充放電回路に電気的に接続され、入力電源を充放電回路に入力させると共に出力電源を出力してその他のポータブル電子機器に充電させることができる。該電源接続エレメント２は、制御回路基板１に結合されるコネクタ２１とすることができ、例えば、民生用電子機器が常用しているＵＳＢコネクタで、ＵＳＢコネクタを通じて充電及び放電を行う。しかし、該電源接続エレメント２はコネクタの実施例に限らず、制御回路基板１に直接接続される電源線（図示略）も含むことができ、電源線で商用電源に接続して充電する。
【００２３】
該充電電池ユニット３は、少なくとも１個の充電電池３１（図に示されるのは、２個の直列接続或いは並列接続の充電電池３１）を含み、充電電池ユニット３（充電電池３１）を上記制御回路基板１の充放電回路に電気的に接続することで、充電電池３１が入力電源の蓄積又は出力電源の放出を行わせる。該充電電池３の好ましい実施例は、リチウム電池、リチウム鉄電池、リチウムマンガン電池、アルカリ電池及び水素酸素電池の中から選ばれるいずれか一つである。且つ、本考案の該充電電池ユニット３の好ましい総容量が１０００ｍＡｈ以上とする。
【００２４】
該ミニプロジェクター４は、マイクロ投影モジュール４１とミニ投影レンズ４２とを含む。該マイクロ投影モジュール４１が制御回路基板１に実装して結合され、該ミニ投影レンズ４２がマイクロ投影モジュール４１に結合される。これを介してミニプロジェクター４は、有線或いは無線送信方法により直接的又は間接的にその他のポータブル電子機器に接続され、例えばスマートフォン若しくはポータブルコンピュータ等で、またスマートフォン若しくはポータブルコンピュータ等が提供する映像信号に対して映像処理を行ってからスクリーン或いは壁に投影し、投影した映像画面を拡大し且つ共有するために用いられる。
【００２５】
該信号送信エレメント５は電源接続エレメント２の信号線５１に接続され、且つ信号線５１が電源線を統合した統合ケーブルとすることができる。その好ましい実施例は、ＵＳＢ信号線を選定した。しかし、該信号送信エレメント５も制御回路基板１或いはマイクロ投影モジュール４１に接続される無線送信モジュール（図示略）を選定できる。これを介して本考案は該信号送信エレメント５を利用して制御回路基板１或いはマイクロ投影モジュール４１と接続して映像メッセージ（つまりその他のポータブル電子機器の映像信号源）を伝送できる。
【００２６】
該筐体６は、中空構造体で、上記該制御回路基板１と充電電池ユニット３とミニプロジェクター４のマイクロ投影モジュール４１とを筐体６内に設置させる。電源接続エレメント２が信号線５１に接続させ、ミニ投影レンズ４２が映像投影を行わせるため、上記該電源接続エレメント２及びミニプロジェクター４のミニ投影レンズ４２が筐体６から露出する。
【００２７】
上記制御回路基板１と電源接続エレメント２と充電電池ユニット３とミニプロジェクター４と信号送信エレメント５とこれらを筐体６内に実装して組み立てられる設計を介して、投影機能を備えたモバイルバッテリーを構成できる。制御回路基板１を通じて設定した入力電源及び出力電源の電圧が３．５〜２１ボルト（Ｖ）で、電流値が０．７〜１１アンペア（Ａ）で、例えば、スマートフォン（Ｓｍａｒｔｐｈｏｎｅ）、タブレット型コンピュータ（Ｔａｂｌｅｔ  ｃｏｍｐｕｔｅｒ）、ノートブックコンピュータ、デジタルオーディオプレーヤー（ＭＰ３、ＭＰ４）、携帯情報端末（ＰＤＡ）、デジタルカメラ（Ｄｉｇｉｔａｌ  ｃａｍｅｒａｓ）等の現在のよく見られるポータブル電子機器に適用される。
【００２８】
本考案に係るモバイルバッテリーの使用時、信号線５１を電源接続エレメント２と商業電源或いは卓上型（ノートブック）コンピュータ等に接続することで、電源を充電電池ユニット３に入力し、出掛けた時その他のポータブル電子機器のバックアップ電源とすることができる。図３に示されるように、その他のポータブル電子機器１０（例えば携帯電話機）に電力が不足した時、信号線５１を電源接続エレメント２とポータブル電子機器１０に接続して、ポータブル電子機器１０に充電する機能を実現できる。更に、本考案も該ポータブル電子機器１０の映像信号を受信でき、マイクロ投影モジュール４１を通じて映像信号に対して映像処理を行った後、更にミニ投影レンズ４２からスクリーン又は壁に投影する。
【００２９】
先に述べるように、本考案は、新規性、進歩性および産業上の利用性の三要件と完全に適合する。新規性と進歩性から言うと、本考案は、制御回路基板と電源接続エレメントと充電電池ユニットとミニプロジェクターと信号送信エレメントの設計を介して投影機能を備えたモバイルバッテリーを構成し、従ってモバイルバッテリーとして充放電を行うと共にその他のポータブル電子機器に接続して投影再生機能を働かせることができる。産業上の利用性から言うと、本考案の構造特徴及び技術手段を利用すると、現在産業上のニーズを十分満たすことができる。
【００３０】
本考案は、上記の説明において好ましい実施例で開示され、当業者には当該実施例があくまでも本考案の技術内容を明らかにするものであって、このような具体例にのみに限定され狭義に解釈されるべきものではなく、当実施例と同じように行う種々の改良変更をなし得ることは本考案の範囲内に含めるものであるのが勿論である。よって、本考案の保護範囲は当然後記の実用新案登録請求の範囲で記載されるものを基準とする。
【符号の説明】
【００３１】
１    制御回路基板
２    電源接続エレメント
２１  コネクタ
３    充電電池ユニット
３１  充電電池
４    ミニプロジェクター
４１  マイクロ投影モジュール
４２  ミニ投影レンズ
５    信号送信エレメント
５１  信号線
６    筐体
１０  ポータブル電子機器
【図１】
0003185387.tif 000003
【図２】
0003185387.tif 000004
【図３】
0003185387.tif 000005